(57)【要約】      （修正有）【課題】モップヘッドを同じ位置で洗浄したり、水を切ったりすることができ、制御機構が単純で信頼性が高く、製造コストが低いモップ洗い器を提供する。【解決手段】モップ洗い器であって、アウターバケツ１と、ウォーターポンプ２と、大貯水部３と、小貯水部４と、を含み、大貯水部３、小貯水部４は、液体を貯めるために用いられ、大貯水部３は、小貯水部４に連通され、大貯水部３と小貯水部４との間に通水／遮断を制御するためのバルブ６が設けられ、ウォーターポンプ２が小貯水部４に連通し小貯水部４から取水し、アウターバケツ１にモップのモップヘッドに当接する支持体５が設けられ、バルブ６を制御して大貯水部３と小貯水部４との間の水流通路を遮断させ、ウォーターポンプ２が小貯水部４から取水してモップに送水して洗浄を実現し、小貯水部４内の水が使い切った後、モップを回転させて遠心力で脱水し、脱水した汚水がアウターバケツ１に流れる。【選択図】図１
0003227820.tif 000002
【実用新案登録請求の範囲】
【請求項１】
モップ洗い器であって、ウォーターポンプと、大貯水部と、小貯水部と、を含み、前記大貯水部、前記小貯水部は、液体を貯めるために用いられ、前記大貯水部の容量が前記小貯水部の容量より大きく；前記大貯水部は、前記小貯水部に連通され、前記大貯水部と前記小貯水部との間に前記大貯水部と前記小貯水部の通水／遮断を制御するためのバルブが設けられ、前記ウォーターポンプが前記小貯水部から取水し、モップを洗う時、前記バルブを制御して前記大貯水部と前記小貯水部との間の水流通路を遮断させ、前記ウォーターポンプが前記小貯水部から取水して前記モップに送水して洗浄を実現することを特徴とする、モップ洗い器。
【請求項２】
前記モップのモップヘッドに当接する支持体を設けたアウターバケツをさらに含むことを特徴とする、請求項１に記載のモップ洗い器。
【請求項３】
前記小貯水部内の水が使い切った後、前記モップを回転させて遠心力で脱水することを特徴とする、請求項１又は２に記載のモップ洗い器。
【請求項４】
前記支持体は、垂直方向に移動可能に設けられ；前記モップを洗う時、前記モップが前記支持体に置かれた後、前記支持体が下に移動して前記バルブが連動して前記大貯水部と前記小貯水部との間の水流通路を遮断することを特徴とする、請求項２に記載のモップ洗い器。
【請求項５】
前記モップの前記モップヘッドは、前記支持体に置かれ、前記モップヘッドの回転により前記ウォーターポンプを駆動して前記小貯水部から取水して前記モップに送水されることを特徴とする、請求項２に記載のモップ洗い器。
【請求項６】
前記ウォーターポンプは、インペラーポンプであることを特徴とする、請求項１に記載のモップ洗い器。
【請求項７】
前記ウォーターポンプは、円筒体を含み、前記円筒体に吸込口が設けられ、前記円筒体内には前記円筒体の内壁に沿って下から上へ螺旋状に延びる螺旋状片体が設けられ、前記円筒体が前記アウターバケツと回転可能に配置されることを特徴とする、請求項２に記載のモップ洗い器。
【請求項８】
前記円筒体の内径は、下から上に向かって大きくなる傾向にあることを特徴とする、請求項７に記載のモップ洗い器。
【請求項９】
前記支持体は、前記円筒体に固定連結されることを特徴とする、請求項７に記載のモップ洗い器。
【請求項１０】
前記大貯水部及び前記小貯水部は、インナーバケツで仕切られており、前記インナーバケツが前記アウターバケツ内に配置され、前記インナーバケツ内に仕切板が設けられ、前記仕切板と前記インナーバケツの内壁との間に隙間を有し；前記仕切板は、前記インナーバケツの口からバケツの底部まで延びると共に前記インナーバケツの内壁又は底面に連結され、前記仕切板の外側面と前記インナーバケツとの間で画成された空間が前記大貯水部であり、前記仕切板の内側面で画成された空間が前記小貯水部であり、前記仕切板に水流通路が設けられることを特徴とする、請求項7に記載のモップ洗い器。
【請求項１１】
前記小貯水部は、前記アウターバケツ内に設けられ、前記大貯水部が前記小貯水部の横に配置されることを特徴とする、請求項1に記載のモップ洗い器。
【請求項１２】
前記仕切板は、前記インナーバケツの中心軸を中心として左右対称に配置され、前記支持体と前記インナーバケツが同軸上に配置されることを特徴とする、請求項10に記載のモップ洗い器。
【請求項１３】
前記バルブに付勢力をかけて通水状態になるようにさせる弾性部材をさらに含み、前記モップヘッドが前記支持体に置かれた時に前記弾性部材の抵抗力に打ち勝って前記バルブで前記大貯水部と前記小貯水部との間の水流通路が遮断されることを特徴とする、請求項２に記載のモップ洗い器。
【請求項１４】
前記水流通路は、前記仕切板に設けられた貫通孔であり、前記バルブが栓体であり、前記栓体が前記円筒体に接続され、前記弾性部材が前記栓体又は前記円筒体に付勢力をかけて前記栓体を前記貫通孔から離れさせ、前記モップヘッドが前記支持体に置かれた時、前記円筒体が前記弾性部材の抵抗力に打ち勝って前記栓体を駆動し、前記栓体が貫通孔に接近して前記水流通路が塞がれることを特徴とする、請求項１０に記載のモップ洗い器。
【請求項１５】
前記円筒体内に内筒が設けられ、前記内筒と前記円筒体との間に隙間があり、前記内筒と前記円筒体は同軸上に配置され、前記内筒が前記円筒体に固定連結され或いは回転可能に連結されることを特徴とする、請求項７に記載のモップ洗い器。
【請求項１６】
前記内筒は、前記円筒体に固定連結され、前記支持体が前記内筒に固定連結されることを特徴とする、請求項１５に記載のモップ洗い器。
【請求項１７】
前記ウォーターポンプの吐出口は、インナーバケツ領域内に配置され、大貯水部の上面が水漏れしないことを特徴とする、請求項１０に記載のモップ洗い器。
【請求項１８】
前記インナーバケツ、前記円筒体、前記支持体は、同軸上に配置され、前記円筒体が前記仕切板の内側面内に配置されることを特徴とする、請求項１０に記載のモップ洗い器。
【請求項１９】
前記ウォーターポンプの吐出口に配管で貯水空洞部が接続され、前記貯水空洞部内には自体の軸方向を回転軸とし、回転可能に配置された洗浄用ローラーが設けられ；洗う時、前記モップヘッドの回転により前記洗浄用ローラーを回転させ、前記ウォーターポンプが前記小貯水部から取水して前記洗浄用ローラーを介して前記モップヘッドに送水されることを特徴とする、請求項１又は４に記載のモップ洗い器。
【請求項２０】
前記モップは、回転モップであり、前記アウターバケツにブラケットが設けられ、前記モップの前記モップ柄上に掛け具が設けられ、前記モップを洗う時、前記ブラケットで掛け具を支えてモップの下方への移動を規制することを特徴とする、請求項１に記載のモップ洗い器。
【請求項２１】
前記ブラケットに切欠部が設けられ、前記切欠部の内径は、前記掛け具の外径より小さいことを特徴とする、請求項２０に記載のモップ洗い器。
【考案の詳細な説明】
【技術分野】
【０００１】
本考案は、モップ洗い器に関する。
【背景技術】
【０００２】
モップは、人々の日常生活で一般的に使用される清掃用具であり、既存の特許文獻にバケツ本体と、バケツ本体内部の右側にある回転洗浄槽と、バケツ本体内部の左側にある回転水切りカゴと、を含む回転モップバケツが開示され、前記回転モップバケツはバケツ本体内部の左側にあるろ過網と、導水用邪魔板と、をさらに含み、前記導水用邪魔板が凹形係止溝を通じてバケツ本体と係合され、前記導水用邪魔板に吸込口及び吐出口が穿設され、前記ろ過網が導水用邪魔板上の吸込口と着脱可能に連結される。上記技術的手段において、モップバケツは洗浄領域及び脱水領域に分かれており、前記構造の体形が巨大であるため製造及び物流コストが比較的高かった。
【０００３】
上記技術的手段の問題点を解決するため、昇降式モップバケツが開発され、前記モップバケツの回転カゴはバケツ本体の真上に設けられ、モップを脱水しようとする時、回転カゴがバケツ本体の上部まで上昇し、モップのモップディスクの高速回転を駆動すると、迅速な脱水が実現でき、モップを洗おうとした時、回転カゴをバケツ本体の下部まで下げると、モップを水中に入れて洗うことができ、前記昇降式モップバケツの回転カゴがバケツ本体と垂直に配置されることで、バケツ本体の体積を減らすことができ、取られたスペースも小さい。ただし上記昇降構造は、比較的複雑で、組み立ての効率が低く、プラスチック部品で組み立てられているため、精度が悪く、使用時引っ掛かりやすく、昇降の不具合の原因となるという問題がある。
【考案の概要】
【考案が解決しようとする課題】
【０００４】
本考案の目的は、従来技術に存在する上記の欠陥や不足を克服するため、構造設計が合理的で、製造コストが低いモップ洗い器を提供することである。
【課題を解決するための手段】
【０００５】
本考案は、上記課題を解決するために、次の技術的手段を講じた。
モップ洗い器であって、アウターバケツと、ウォーターポンプと、大貯水部と、小貯水部と、を含み、前記大貯水部、小貯水部は、液体を貯めるために用いられ、大貯水部の容量が小貯水部の容量より大きく；大貯水部は、小貯水部に連通され、大貯水部と小貯水部との間に大貯水部と小貯水部の通水／遮断を制御するためのバルブが設けられ、ウォーターポンプが小貯水部に連通し小貯水部から取水し、アウターバケツにモップのモップヘッドに当接する支持体が設けられ、モップを洗う時、バルブを制御して大貯水部と小貯水部との間の水流通路を遮断させ、ウォーターポンプが小貯水部から取水してモップに送水して洗浄を実現し；小貯水部内の水が使い切った後、モップを回転させて遠心力で脱水し、脱水した汚水がアウターバケツに流れる。
【０００６】
前記支持体は、垂直方向に移動可能に設けられ；モップを洗う時、前記モップが支持体に置かれた後、支持体が下に移動してバルブが連動して大貯水部と小貯水部との間の水流通路を遮断する。
【０００７】
前記モップのモップヘッドは、支持体に置かれ、モップヘッドの回転によりウォーターポンプを駆動して小貯水部から取水してモップに送水される。
【０００８】
前記ウォーターポンプは、インペラーポンプである。
【０００９】
前記ウォーターポンプは、円筒体を含み、円筒体に吸込口が設けられ、円筒体内には円筒体の内壁に沿って下から上へ螺旋状に延びる螺旋状片体が設けられ、円筒体がアウターバケツと回転可能に配置される。
【００１０】
円筒体の内径は、下から上に向かって大きくなる傾向にある。
【００１１】
前記支持体は、円筒体に固定連結される。
【００１２】
前記大貯水部及び小貯水部は、インナーバケツで仕切られており、インナーバケツがアウターバケツ内に配置され、前記インナーバケツ内に仕切板が設けられ、仕切板とインナーバケツの内壁との間に隙間を有し；仕切板は、インナーバケツの口からバケツの底部まで延びると共にインナーバケツの内壁又は底面に連結され、仕切板の外側面とインナーバケツとの間で画成された空間が大貯水部であり、仕切板の内側面で画成された空間が小貯水部であり、前記仕切板に水流通路が設けられる。
【００１３】
前記小貯水部は、アウターバケツ内に設けられ、大貯水部が小貯水部の横に配置される。
【００１４】
前記仕切板は、インナーバケツの中心軸を中心として左右対称に配置され、前記支持体とインナーバケツが同軸上に配置される。
【００１５】
バルブに付勢力をかけて通水状態になるようにさせる弾性部材をさらに含み、モップヘッドが支持体に置かれた時に弾性部材の抵抗力に打ち勝ってバルブで大貯水部と小貯水部との間の水流通路が遮断される。
【００１６】
前記水流通路は、仕切板に設けられた貫通孔であり、バルブが栓体であり、栓体が円筒体に接続され、弾性部材が栓体又は円筒体に付勢力をかけて栓体を貫通孔から離れさせ、モップヘッドが支持体に置かれた時、円筒体が弾性部材の抵抗力に打ち勝って栓体を駆動し、栓体が貫通孔に接近して前記水流通路が塞がれる。
【００１７】
前記円筒体内に内筒が設けられ、内筒と円筒体との間に隙間があり、内筒と円筒体は同軸上に配置され、内筒が円筒体に固定連結され或いは回転可能に連結される。
【００１８】
前記内筒は、円筒体に固定連結され、前記支持体が内筒に固定連結される。
【００１９】
前記ウォーターポンプの吐出口は、インナーバケツ領域内に配置される。
【００２０】
前記インナーバケツ、円筒体、支持体は、同軸上に配置され、円筒体が仕切板の内側面内に配置される。
【００２１】
前記水流通路は、仕切板に設けられた貫通孔であり、バルブが栓体であり、栓体が円筒体又は内筒に接続され、弾性部材が栓体又は円筒体或いは内筒に付勢力をかけて栓体を貫通孔から離れさせ、モップヘッドが支持体に置かれた時、円筒体が弾性部材の抵抗力に打ち勝って栓体を駆動し、栓体が貫通孔に接近して前記水流通路が塞がれる。
【００２２】
ウォーターポンプの吐出口に配管で貯水空洞部が接続され、貯水空洞部内には自体の軸方向を回転軸とし、回転可能に配置された洗浄用ローラーが設けられ；洗う時、モップヘッドの回転により洗浄用ローラーを回転させ、ウォーターポンプが小貯水部から取水して洗浄用ローラーを介してモップヘッドに送水される。
【００２３】
前記モップは、回転モップであり、アウターバケツにブラケットが設けられ、モップのモップ柄上に掛け具が設けられ、モップを洗う時、ブラケットで掛け具を支えてモップの下方への移動を規制する。
【００２４】
前記ブラケットに切欠部が設けられ、切欠部の内径は、掛け具の外径より小さい。
【考案の効果】
【００２５】
本考案は、従来技術に対比すると、以下の利点を有する。
本考案を使用すると、モップヘッドを同じ位置で洗浄したり、水切ったりすることができ、両者の状態の切り替えを制御する機構は、単純で信頼性が高く、製造コストが低い。
【図面の簡単な説明】
【００２６】
【図１】本実施例の構造を示す模式図である。
【図２】本実施例において円筒体を用いて実施した場合の構造を示す模式図である。
【図３】本実施例におけるウォーターポンプを円筒体で実施した場合の構造を示す模式図である。
【図４】本実施例において円筒体を用いて実施した場合、モップを使用している時の構造を示す模式図である。
【図５】本実施例において洗浄用ローラーに連通された貯水空洞部で実施した場合の構造を示す模式図である。
【図６】本実施例において洗浄用ローラーに連通された貯水空洞部で実施した場合、モップを使用している時の構造を示す模式図である。
【図７】本実施例におけるモップの別の支持形態の構造を示す模式図である。
【考案を実施するための形態】
【００２７】
以下に考案の目的、技術的手段及び利点をより明確にするため、添付の図面及び実施例を参照しつつ本考案を詳細に説明する。ここで描写される具体的実施例は、本考案の内容を説明するためにのみ使用され、本考案を限定することを意図されないことに理解されたい。
【００２８】
図１乃至図７を参照すると、本実施例に係るモップ洗い器は、アウターバケツ１と、ウォーターポンプ２と、大貯水部３と、小貯水部４と、を含み、前記大貯水部３、小貯水部４は、液体を貯めるために用いられ、大貯水部３の容量が小貯水部４の容量より大きく；大貯水部３は、小貯水部４に連通され、大貯水部３に水が貯めた後、大貯水部３内の水を小貯水部４内に注ぐことができ、大貯水部３と小貯水部４との間に大貯水部３と小貯水部４の通水／遮断を制御するためのバルブ６が設けられ、ウォーターポンプ２が小貯水部４に連通し小貯水部４から取水し、アウターバケツ１にモップのモップヘッドａに当接する支持体５が設けられ、支持体５がアウターバケツ１によって支えられる。モップを洗う時、バルブ６を制御して大貯水部３と小貯水部４との間の水流通路を遮断させ、ウォーターポンプ２が小貯水部４から取水してモップに送水して洗浄を実現し；小貯水部４内の水が使い切った後、モップを回転させて遠心力で脱水し、脱水した汚水がアウターバケツ１に流れる。本考案の実施時、大貯水部３内にまず水を注ぎ、この時水流通路の水流がスムーズに流れ、大貯水部３の水が小貯水部４に流れ、モップを洗うる時、手動又はモップを介してバルブ６を制御して大貯水部３と小貯水部４との間の水流通路を遮断させることができ、ウォーターポンプ２の汲み上げが小貯水部４内の水のみを汲み上げてモップを洗うために使用され、小貯水部４内の水を使い切った後、モップを回転させ遠心力で脱水する。本実施例において、ウォーターポンプ２の選択は、電動ポンプ及び手動ポンプであってもよく、ウォーターポンプ２の役目が水を輸送することである。本実施例において、毎回洗う水が定量的であり、毎回大貯水部３内に貯められる清浄水を使用し、洗った後の汚水がアウターバケツ１に流れる。本実施例のバルブ６は、従来技術内の水弁及びその水弁の簡易形のものを含み、水の通水又は遮断を制御できるものであれば、例えば１個のスプール又はプラグ、バッフルのみである。
【００２９】
好ましくは、使いやすさのために、本実施例の実施時、支持体５を通じてバルブ６を制御し、前記支持体５は、垂直方向に移動可能に設けられ；モップを洗う時、前記モップが支持体５に置かれた後、支持体５が下に移動してバルブ６が連動して大貯水部３と小貯水部４との間の水流通路を遮断する。
【００３０】
好ましくは、前記ウォーターポンプ２は、手動ポンプであり、手動ポンプの駆動がモップヘッドａの回転によって駆動され、モップのモップヘッドａが支持体5に置かれ、モップヘッドａの回転によりウォーターポンプ２を駆動して小貯水部４から取水してモップヘッドａに送水される。具体的に実施する時、支持体５が四角形、五角形或いは六角形であり、モップヘッドａの下方に支持体５と嵌合する凹部が設けられ、支持体５が凹部に嵌め込まれて周方向の位置決めを実現し、モップヘッドａが回転されると、支持体５も追従して回転し、ウォーターポンプ２がインペラーポンプの時、支持体５がインペラーポンプのインペラーに連結され、支持体５が回転することにより、インペラーの回転を駆動することで、ウォーターポンプ２の作動を駆動させる。
【００３１】
好ましくは、ウォーターポンプ２の別の実施形態は、図２乃至図４に示される通りである。前記ウォーターポンプ２は、円筒体２１を含み、円筒体２１に吸込口２１０が設けられ、好ましくは、吸込口２１０は円筒体２１の回転軌跡に向けられ、円筒体２１内には円筒体２１の内壁に沿って下から上へ螺旋状に延びる螺旋状片体２２が設けられ、円筒体２１がアウターバケツ１と回転可能に配置され、本実施例内の円筒体２１が円筒状を呈し、円筒体２１が中心軸線を回転軸として回転し、吸込口２１０が小貯水部４内に設けられ、小貯水部４内から取水する。具体的に実施する時、モップヘッドａの回転により支持体５を通じて円筒体２１を回転させ、より好ましくは前記支持体５が円筒体２１に固定連結される。
【００３２】
本実施例において、図２に示すように、円筒体２１の内径は、下から上に向かって大きくなる傾向にあり、すなわち、円筒体２１の空洞部は上が大きく下が小さい構造を呈し、下方から上へ輸送される水が垂直面よりも容易に輸送し、かつ輸送される水の面積が拡大し、モップヘッドａに流れる水の領域もより広がる。
【００３３】
好ましくは、本実施例は、図５及び図６に示される。ウォーターポンプ２の吐出口２０に配管で貯水空洞部９が接続され、貯水空洞部９内には自体の軸方向を回転軸とし、回転可能に配置された洗浄用ローラー８が設けられ；洗う時、モップヘッドａの回転により洗浄用ローラー８を回転させ、ウォーターポンプ２が小貯水部４から取水して洗浄用ローラー８を介してモップヘッドａに送水される。具体的に実施した時、貯水空洞部９は、アウターバケツ１によって支えられ、アウターバケツ１又はアウターバケツ１の延伸部材に固定連結される。本実施例において、ウォーターポンプ２は、小貯水部４から取水して洗浄用ローラー８を介してモップヘッドａに送水し、使用過程で洗浄用ローラー８とモップヘッドａとが互いに接触することで、洗浄効果を向上させ；貯水空洞部９に水が貯める時、洗浄用ローラー８の回転により水をモップヘッドａに運ぶことができ、洗浄用ローラー８からモップヘッドａへ運ばれる水はよりに均一に分配する。
【００３４】
好ましくは、前記大貯水部３及び小貯水部４は、インナーバケツｂで仕切られており、インナーバケツｂがアウターバケツ１内に配置され、前記インナーバケツｂ内に仕切板ｂ１が設けられ、仕切板ｂ１とインナーバケツｂの内壁との間に隙間を有し；仕切板ｂ１は、インナーバケツｂの口からバケツの底部まで延びると共にインナーバケツｂの内壁又は底面に連結され、仕切板ｂ１の外側面とインナーバケツｂとの間で画成された空間が大貯水部３であり、仕切板ｂ１の内側面で画成された空間が小貯水部４であり、前記仕切板ｂ１に水流通路が設けられる。具体的に実施する時、ウォーターポンプ２の吐出口２０は支持体５の中軸線に近くなるよう配置され、インナーバケツｂとアウターバケツ１が固定連結でき、仕切板ｂ１の外側面とインナーバケツｂとの間で画成される大貯水部３の上面は水漏れせず、覆板ｂ２で覆うか、仕切板ｂ１の延伸で覆うことができ、脱水時、遠心力で水切った汚水が大貯水部３に流れず、清浄水・汚水が混ざることはない。本実施例のウォーターポンプ２の吐出口２０は、仕切板ｂ１の内側面の内側に配置され、吐出口２０からの水がモップヘッドａに噴霧された後、遠心力の作用により内から外に拡散し、最後にアウターバケツ１に集められて一時的に貯留され、その後廃棄することができる。上記大貯水部３及び小貯水部４の配置構造は、コンパクトな構造の利点があり、アウターバケツ１の内部空間を十分に活用できる。
【００３５】
別の実施形態は、前記小貯水部４は、アウターバケツ１内に設けられ、大貯水部３が小貯水部４に近くなるよう配置され、大貯水部３がアウターバケツ１の内側又はアウターバケツ１の外側に配置され、大貯水部３が小貯水部４に給水する。
【００３６】
より好ましくは、本実施例において、前記仕切板ｂ１は、インナーバケツｂの中心軸を中心として左右対称に配置され、前記支持体５とインナーバケツｂが同軸上に配置される。
【００３７】
より好ましくは、本実施例において、バル６に付勢力をかけて通水状態になるようにさせる弾性部材７をさらに含み、モップヘッドａが支持体５に置かれた時に弾性部材７の抵抗力に打ち勝ってバルブ６で大貯水部３と小貯水部４との間の水流通路が遮断される。弾性部材７は、ばねであってもねじりばねであってもよく、ばね又はねじりばねがバルブ６に当接し、外力がない時水流通路の水流をスムーズに流れ、外力がばね又はねじりばねの弾性力に打ち勝つと、バブル６で水流通路を遮断することに切り替える。
【００３８】
好ましくは、本実施例好ましくは、前記水流通路は、仕切板ｂ１に設けられた貫通孔であり、バルブ６が栓体であり、栓体が円筒体２１に接続され、弾性部材７が栓体又は円筒体２１に付勢力をかけて栓体を貫通孔から離れさせ、モップヘッドａが支持体５に置かれた時、円筒体２１が弾性部材７の抵抗力に打ち勝って栓体を駆動し、栓体が貫通孔に接近して前記水流通路が塞がれる。
【００３９】
より好ましくは、前記円筒体２１内に内筒２３が設けられ、内筒２３と円筒体２１との間に隙間があり、内筒２３と円筒体２１は同軸上に配置され、内筒２３が円筒体２１に固定連結され或いは回転可能に連結される。円筒体２１内に内筒２３を設けた後、前記支持体５は、内筒２３と非固定に接続され、弾性部材７も内筒２３に直接作用できることで、バルブ６に間接的に作用して栓体が貫通孔から離れるようにし、モップヘッドａが支持体５に置かれた時、円筒体２１が弾性部材７の抵抗力に打ち勝って栓体を駆動し、栓体が貫通孔に接近して前記水流通路が塞がれる。
【００４０】
好ましくは、前記ウォーターポンプの吐出口２０は、インナーバケツｂ領域内に配置される。インナーバケツｂ領域内とは、インナーバケツｂの上方に投影した領域を指し、モップの遠心力で水切るのは中心から外側に広がるため、吐出口２０が中央部に配置され、洗う時、モップヘッドａ全体を洗浄することができる。
【００４１】
好ましくは、前記インナーバケツｂ、円筒体２１、支持体５は、同軸上に配置され、円筒体２１が仕切板ｂ１の内側面内に配置される。
【００４２】
上記実施例において、モップに対する支持体５の垂直支持は、部分的支持と完全支持とを含む。部分的な支持の実施形態が図７に示されており、アウターバケツ１にブラケット１１が設けられ、モップのモップ柄に掛け具ｃが設けられた時、洗う時、モップヘッドａが支持体５に当接して下に移動し、その後ブラケット１１で支持し、この実施形態において、主にブラケット１１が支持の役目を果たしている。好ましくは、ブラケット１１に切欠部１１ａが設けられ、切欠部１１ａの内径が掛け具ｃの外径より小さく、切欠部１１ａの側面に開放口が設けられ、モップ柄が開放口から切欠部１１ａに入った後、下に移動するが掛け具ｃの外径が切欠部１１ａより大きいことで下方に移動することを規制し、したがってモップを支持する。完全支持の実施形態において、図４及び図６に示すように、ブラケット１１及び掛け具ｃがなく、支持体５がバルブ６に連結され、バルブ６に対し制御作用を有し、バルブ６が所定の位置に調整された後、モップヘッドａが支持体５により垂直に支持されている。
【００４３】
本明細書内で記載されている具体的実施例は、あくまでも本考案の技術内容を明らかにするものである。当業者であれば、本考案の具体的実施例に様々な修正又は補足を加え或いは類似した方式で置換することができ、かつかかる変更や修正が本考案の明細書内容から逸脱することがない場合、若しくは本願の特許請求の範囲で定義される範囲を超えない場合、本考案の保護範囲に網羅される。
【符号の説明】
【００４４】
１........ アウターバケツ
１１...... ブラケット
１１ａ.... 切欠部
２........ ウォーターポンプ
２１...... 円筒体
２２...... 螺旋状片体
２３...... 内筒
２０...... 吐出口
２１０.... 吸込口
３........ 大貯水部
４........ 小貯水部
５........ 支持体
６........ バルブ
７........ 弾性部材
８........ 洗浄用ローラー
９........ 貯水空洞部
ａ........ モップヘッド
ｂ........ インナーバケツ
ｂ１...... 仕切板
ｃ........ 掛け具
【図１】
0003227820.tif 000003
【図２】
0003227820.tif 000004
【図３】
0003227820.tif 000005
【図４】
0003227820.tif 000006
【図５】
0003227820.tif 000007
【図６】
0003227820.tif 000008
【図７】
0003227820.tif 000009
【手続補正書】
【提出日】令和2年6月22日(2020.6.22)
【手続補正１】
【補正対象書類名】実用新案登録請求の範囲
【補正対象項目名】全文
【補正方法】変更
【補正の内容】
【実用新案登録請求の範囲】
【請求項１】
モップ洗い器であって、ウォーターポンプと、大貯水部と、小貯水部と、を含み、前記
大貯水部、前記小貯水部は、液体を貯めるために用いられ、前記大貯水部の容量が前記小
貯水部の容量より大きく；前記大貯水部は、前記小貯水部に連通され、前記大貯水部と前
記小貯水部との間に前記大貯水部と前記小貯水部の通水／遮断を制御するためのバルブが
設けられ、前記ウォーターポンプが前記小貯水部から取水し、モップを洗う時、前記バル
ブを制御して前記大貯水部と前記小貯水部との間の水流通路を遮断させ、前記ウォーター
ポンプが前記小貯水部から取水して前記モップに送水して洗浄を実現することを特徴とす
る、モップ洗い器。
【請求項２】
前記モップのモップヘッドに当接する支持体を設けたアウターバケツをさらに含むこと
を特徴とする、請求項１に記載のモップ洗い器。
【請求項３】
前記小貯水部内の水が使い切った後、前記モップを回転させて遠心力で脱水することを
特徴とする、請求項１又は２に記載のモップ洗い器。
【請求項４】
前記支持体は、垂直方向に移動可能に設けられ；前記モップを洗う時、前記モップが前
記支持体に置かれた後、前記支持体が下に移動して前記バルブが連動して前記大貯水部と
前記小貯水部との間の水流通路を遮断することを特徴とする、請求項２に記載のモップ洗
い器。
【請求項５】
前記モップの前記モップヘッドは、前記支持体に置かれ、前記モップヘッドの回転によ
り前記ウォーターポンプを駆動して前記小貯水部から取水して前記モップに送水されるこ
とを特徴とする、請求項２に記載のモップ洗い器。
【請求項６】
前記ウォーターポンプは、インペラーポンプであることを特徴とする、請求項１に記載
のモップ洗い器。
【請求項７】
前記ウォーターポンプは、円筒体を含み、前記円筒体に吸込口が設けられ、前記円筒体
内には前記円筒体の内壁に沿って下から上へ螺旋状に延びる螺旋状片体が設けられ、前記
円筒体が前記アウターバケツと回転可能に配置されることを特徴とする、請求項２に記載
のモップ洗い器。
【請求項８】
前記円筒体の内径は、下から上に向かって大きくなる傾向にあることを特徴とする、請
求項７に記載のモップ洗い器。
【請求項９】
前記支持体は、前記円筒体に固定連結されることを特徴とする、請求項７に記載のモップ洗い器。
【請求項１０】
前記大貯水部及び前記小貯水部は、インナーバケツで仕切られており、前記インナーバ
ケツが前記アウターバケツ内に配置され、前記インナーバケツ内に仕切板が設けられ、前
記仕切板と前記インナーバケツの内壁との間に隙間を有し；前記仕切板は、前記インナー
バケツの口からバケツの底部まで延びると共に前記インナーバケツの内壁又は底面に連結
され、前記仕切板の外側面と前記インナーバケツとの間で画成された空間が前記大貯水部
であり、前記仕切板の内側面で画成された空間が前記小貯水部であり、前記仕切板に水流
通路が設けられることを特徴とする、請求項7に記載のモップ洗い器。
【請求項１１】
前記小貯水部は、前記アウターバケツ内に設けられ、前記大貯水部が前記小貯水部の横
に配置されることを特徴とする、請求項２に記載のモップ洗い器。
【請求項１２】
前記仕切板は、前記インナーバケツの中心軸を中心として左右対称に配置され、前記支
持体と前記インナーバケツが同軸上に配置されることを特徴とする、請求項10に記載のモ
ップ洗い器。
【請求項１３】
前記バルブに付勢力をかけて通水状態になるようにさせる弾性部材をさらに含み、前記
モップヘッドが前記支持体に置かれた時に前記弾性部材の抵抗力に打ち勝って前記バルブ
で前記大貯水部と前記小貯水部との間の水流通路が遮断されることを特徴とする、請求項
２に記載のモップ洗い器。
【請求項１４】
前記水流通路は、前記仕切板に設けられた貫通孔であり、前記バルブが栓体であり、前
記栓体が前記円筒体に接続され、前記弾性部材が前記栓体又は前記円筒体に付勢力をかけ
て前記栓体を前記貫通孔から離れさせ、前記モップヘッドが前記支持体に置かれた時、前
記円筒体が前記弾性部材の抵抗力に打ち勝って前記栓体を駆動し、前記栓体が貫通孔に接
近して前記水流通路が塞がれることを特徴とする、請求項１３に記載のモップ洗い器。
【請求項１５】
前記円筒体内に内筒が設けられ、前記内筒と前記円筒体との間に隙間があり、前記内筒
と前記円筒体は同軸上に配置され、前記内筒が前記円筒体に固定連結され或いは回転可能
に連結されることを特徴とする、請求項７に記載のモップ洗い器。
【請求項１６】
前記内筒は、前記円筒体に固定連結され、前記支持体が前記内筒に固定連結されること
を特徴とする、請求項１５に記載のモップ洗い器。
【請求項１７】
前記ウォーターポンプの吐出口は、インナーバケツ領域内に配置され、大貯水部の上面
が水漏れしないことを特徴とする、請求項１０に記載のモップ洗い器。
【請求項１８】
前記インナーバケツ、前記円筒体、前記支持体は、同軸上に配置され、前記円筒体が前
記仕切板の内側面内に配置されることを特徴とする、請求項１０に記載のモップ洗い器。
【請求項１９】
前記ウォーターポンプの吐出口に配管で貯水空洞部が接続され、前記貯水空洞部内には
自体の軸方向を回転軸とし、回転可能に配置された洗浄用ローラーが設けられ；洗う時、
前記モップのモップヘッドの回転により前記洗浄用ローラーを回転させ、前記ウォーターポンプが前記小貯水部から取水して前記洗浄用ローラーを介して前記モップヘッドに送水されることを特徴とする、請求項１又は４に記載のモップ洗い器。
【請求項２０】
前記モップは、回転モップであり、前記アウターバケツにブラケットが設けられ、前記
モップの前記モップ柄上に掛け具が設けられ、前記モップを洗う時、前記ブラケットで掛
け具を支えてモップの下方への移動を規制することを特徴とする、請求項２に記載のモッ
プ洗い器。
【請求項２１】
前記ブラケットに切欠部が設けられ、前記切欠部の内径は、前記掛け具の外径より小さ
いことを特徴とする、請求項２０に記載のモップ洗い器。